(57)【特許請求の範囲】
【請求項１】
送信元アドレスが登録されたエントリテーブルをエージングするエントリテーブル管理装置において、
前記エントリテーブルのエントリ毎に、該エントリテーブルの使用率に応じて参照される複数の優先度付きエージ時間を設定可能であり、
前記エントリテーブルのエージング処理（エージ時間の減算処理）および前記エントリテーブルの使用状況の把握（使用率の算出）を実施するエージング処理手段と、
エージ時間選択ルール（エントリの使用率など）により、いずれかの優先度のエージ時間および更新時間を選択するエージ時間選択手段と、
エントリ登録要求、削除要求などをトリガに前記エントリテーブルに対する登録、削除処理を実施するエントリ登録手段を設けたことを特徴とするエントリテーブル管理装置。
【請求項２】
前記エントリテーブルのエントリ毎に、前記優先度付き更新時間を設定可能とし、
エージ時間更新要求があると前記更新時間が前記エージ時間にコピーされることを特徴とする請求項１に記載のエントリテーブル管理装置。
【請求項３】
前記更新時間は初期設定時に前記エントリテーブル書き込まれることを特徴とする請求項２に記載のエントリテーブル管理装置。
【請求項４】
前記更新時間は前記送信元アドレス登録時に前記エントリテーブル書き込まれることを特徴とする請求項２に記載のエントリテーブル管理装置。
【請求項５】
送信元アドレスと共に、該エントリテーブルの使用率に応じて参照される複数の優先度付きエージ時間がエントリ毎に登録されたエントリテーブルのエージング処理方法であって、
該エントリテーブルの使用率を算出する手順と、
算出された使用率により前記優先度を選択する手順と、
各エントリの前記エージ時間が減算される手順と、
前記選択された優先度対応のエージ時間が経過すると当該エントリの前記送信元アドレスを削除し、かつ当該エージ時間を「０」にする手順とを有することを特徴とするエージング処理方法。
【請求項６】
請求項５記載のエージング処理方法であって、
前記エントリテーブルのエントリ毎に前記優先度付き更新時間を設定する手順と、
エージ時間更新要求があると前記更新時間が前記エージ時間にコピーされる手順とを有することを特徴とするエージング処理方法。
【請求項７】
前記更新時間は初期設定時に前記エントリテーブル書き込まれることを特徴とする請求項６に記載のエージング処理方法。
【請求項８】
前記更新時間は前記送信元アドレス登録時に前記エントリテーブル書き込まれることを特徴とする請求項６に記載のエージング処理方法。
【発明の詳細な説明】
【技術分野】
【０００１】
本発明は、エントリテーブル管理装置、特に、ネットワーク間接続装置において送信元アドレスが登録されたエントリテーブルをエージングするエントリテーブル管理装置に関する。
【背景技術】
【０００２】
複数のネットワークに接続されて、ネットワーク間で授受されるフレームの中継制御を行うネットワーク間接続装置においては、過去に接続した端末の送信元アドレスをエントリテーブルに登録しておき、新たにフレームを受信すると、送信元アドレスを参照することにより、フレームの中継／廃棄判断（フィルタ処理）を行なって、中継の効率化を図ることが多い。この場合、エントリテーブルを有効活用するためには、その登録の存否を如何にして更新（エージングと称される）するかが問題となり、これまでにも多くのエージング処理についての提案がなされてきている（例えば、特許文献１参照）。
【０００３】
このネットワーク間接続装置では、端末から送信されてくるフレームを受信すると、送信元アドレスをＳＡ登録テーブルに登録しておき、端末から送信されてくるフレームに対して、ＳＡ登録テーブルを使用したフレームフィルタリング動作を行なう。その結果、同じネットワーク上の端末へのフレームは、対向するネットワークへは送信しないように制御する。
【０００４】
ＳＡ登録テーブルのエントリには、同じエントリに２回以上のアクセスがあったことを‘１’で示す来歴ビット・フィールドと、送信元アドレスの登録を‘１’で示すValidビットが設けられ、エージングタイマ値が示す時刻になるとエージング処理される。エージング処理で消去対象となるエントリは、エージング実行時に来歴ビットが‘０’のエントリであり、来歴ビットが‘１’のエントリに対しては来歴ビットを‘０’に戻す処理を行う。
【０００５】
エージングタイマ値は、１度のアクセス率算出で次エージングタイマ値を増減するための値を初期設定値として予め設定しておく。そして、ＳＡ登録テーブルのValidビットが‘１’であるエントリ数に対する、来歴ビットが‘１’であるエントリ数の割合を算出し、その割合（使用率）が５０％以上であれば現在のエージング・タイマ値から初期設定値を減算した値を次エージングタイマ値として設定する。一方、使用率が５０％以下ならば現在のエージング・タイマ値から初期設定値を加算した値を次エージングタイマ値として設定する。
【０００６】
【特許文献１】特開平１１−６８８１８（第２頁−第３頁、図３）
【発明の開示】
【発明が解決しようとする課題】
【０００７】
しかしながら、上述した従来技術では、使用率が高くなった場合は、エージングタイマ値を短くし、速くエージアウトする（エントリを書き換えられる状態にする）ようにしているため、エントリの使用率が高くなった場合に全てのエントリのエージングタイマ値が短くなってしまい、エージアウトしてほしくないエントリもエージアウトしてしまうという問題がある。
【０００８】
そこで、本発明の目的は、エントリテーブルのエントリ毎にエージング時間を個別に管理することができるエントリテーブル管理装置を提供することにある。
【課題を解決するための手段】
【０００９】
本発明のエントリテーブル管理装置は、送信元アドレスが登録されたエントリテーブルをエージングするエントリテーブル管理装置において、エントリテーブルのエントリ毎に、該エントリテーブルの使用率に応じて参照される複数の優先度付きエージ時間を設定可能であり、エントリテーブルのエージング処理（エージ時間の減算処理）およびエントリテーブルの使用状況の把握（使用率の算出）を実施するエージング処理手段と、エージ時間選択ルール（エントリの使用率など）により、いずれかの優先度のエージ時間および更新時間を選択するエージ時間選択手段と、エントリ登録要求、削除要求などをトリガにエントリテーブルに対する登録、削除処理を実施するエントリ登録手段を設けたことを特徴とする。
【００１０】
本発明のエージング処理方法は、送信元アドレスと共に、該エントリテーブルの使用率に応じて参照される複数の優先度付きエージ時間がエントリ毎に登録されたエントリテーブルのエージング処理方法であって、該エントリテーブルの使用率を算出する手順と、算出された使用率により優先度を選択する手順と、各エントリのエージ時間が減算される手順と、選択された優先度対応のエージ時間が経過すると当該エントリの送信元アドレスを削除し、かつ当該エージ時間を「０」にする手順とを有することを特徴とする。
【００１１】
また、エントリテーブルのエントリ毎に、優先度付き更新時間を設定可能とし、エージ時間更新要求があると更新時間がエージ時間にコピーされるようにしてもよい。
【００１２】
そして、更新時間は初期設定時にエントリテーブル書き込まれるようにしてもよいし、送信元アドレス登録時にエントリテーブル書き込まれるようにしてもよい。
【発明の効果】
【００１３】
本発明によれば、エントリテーブルのエントリ毎に優先度付きの複数のエージ時間を設け、エントリテーブルの使用率に従って優先度を選択し、それに対応したエージ時間でエントリ毎にエージ処理する構成としたため、エントリ毎の公平性が保たれるエージング処理が可能になるという第１の効果が得られる。
【００１４】
更に、更新時間をエントリテーブルに設定することにより、特定エントリのみ、もしくは特定多数のエントリのみのエージ時間を変動させることが可能になるという第２の効果も得られる。
【発明を実施するための最良の形態】
【００１５】
次に、本発明の実施の形態について説明する。
［構成の説明］
以下、本発明の実施例について図面を参照して詳細に説明する。図１は、本発明のエントリテーブル管理装置が使用されるネットワークシステムの構成を示すブロック図である。図１において、３つの端末Ａ１，Ａ２，Ａ３が伝送路２１、３つの端末Ｂ１，Ｂ２，Ｂ３が伝送路２２にそれぞれ接続され、伝送路２１と伝送路２２の間にネットワーク間接続装置２０が介在する。ネットワーク間接続装置２０にエントリテーブル管理装置１００が含まれている。
【００１６】
例えば、伝送路２１上の端末Ａ１が伝送路２２上の端末Ｂ１へフレームを送信するとき、ネットワーク間接続装置２０では、端末Ａ１の送信元アドレスがエントリテーブル１０に登録されていなければ登録する。そして、端末Ａ１から伝送路２１上の端末Ａ２や端末Ａ３への送信時には、そのフレームを伝送路２２へは転送しないように制御する。
【００１７】
エントリテーブル管理装置１００は、図２に示すように、エントリ登録手段１１，エージング処理手段１２，エージング時間選択手段１３およびエントリテーブル１０を有する。
【００１８】
エントリテーブル１０は、図３に一例を示すように、ｎ個のエントリを有し、それぞれのエントリは、エントリを振り分けるための情報、例えば、MAC SAやポート番号などと、エージ情報としての複数の優先度付きエージ時間および更新時間から構成されている。エージ時間とは当該エントリの内容をクリアするかどうかの判定を行なう時間間隔をいい、更新時間とはエージ時間を外部から更新要求することによりエージ時間にコピーされる時間をいう。更新時間は初期設定時もしくはエントリ登録時に書き込まれる。優先度とはエントリテーブル１０の使用率の高さに応じて定められ、使用率が高いほど、優先度数が大きくエージ時間は短い。
【００１９】
図４は、優先度を説明するために優先度の数を２として単純化した図である。図４を参照すると、優先度１が付されたエージ時間と、優先度２が付されたエージ時間が「０」であるか「０」でないか、４つの組合せそれぞれの場合に意味する内容が記載されている。優先度１のエージ時間が「０」である場合は、上述の優先度についての定義により、優先度２のエージ時間は「０」であり、「０」でないということはあり得ない。この場合、このエントリは無効であって、エントリ内容は書き換え可能である。一方、優先度１のエージ時間が「０」でない場合は、このエントリは有効である。そして、優先度２のエージ時間が「０」なら、これを書き換え可能である。
【００２０】
エントリ登録手段１１は、エントリテーブル１０に接続され、エントリ登録要求、削除要求などをトリガに、エントリテーブル１０への登録、エントリテーブル１０からの削除処理などを実施する。
【００２１】
エージング処理手段１２は、エントリテーブル１０に接続され、エントリテーブル１０のエージング処理（エージ時間の減算処理）を実施する。更に、エントリテーブル１０の使用状況の把握（使用率の算出）などを実施する。
【００２２】
エージ時間選択手段１３は、エントリテーブル１０に接続され、エージ時間選択ルール、例えばエントリの使用率などにより、いずれかの優先度のエージ時間および更新時間を選択する。
［動作の説明］
以上のように構成されたエントリテーブル１０の登録処理とエージ処理についてフローチャートを参照しながら説明する。説明を単純化するために、優先度の数を２（ｍ＝２）とする。
【００２３】
図５はエントリ登録手段１３によるエントリテーブル１０の登録処理を示すフローチャートである。送信元アドレス（ＭＡＣ ＳＡ）をエントリターブル１０に登録しようとする場合、先ず、任意のエントリｎについて（図５のステップＳ１）、優先度１のエージ時間が「０」かどうかを調べる（ステップＳ２）。その結果、「０」なら（ステップＳ２でｙｅｓ）エントリｎは無効であり、また図４により優先度２のエージ時間も「０」であるから（ステップＳ３でｙｅｓ）、ＭＡＣ ＳＡをエントリｎに登録する（ステップＳ４）。このとき、予め定められた優先度１のエージ時間と優先度２のエージ時間をエントリｎに登録する（ステップＳ４）。  一方、優先度１のエージ時間が「０」でないとき（ステップＳ２でｎｏ）はエントリｎは有効であり、空エントリを検索することになる（ステップＳ５）。
【００２４】
図６はエントリ登録手段１１，エージング処理手段１２，エージング時間選択手段１３によるエントリテーブル１０のエージ処理を示すフローチャートである。エージング処理手段１２は所定の時刻になると（図６のステップＴ１）、エントリテーブル１０のエントリ使用率が５０％以下かどうかをチェックする（ステップＴ２）。エントリ使用率とは、エントリテーブル１０のエントリ数に対する有効エントリ数の率をいう。チェックの結果、エントリ使用率が５０％以下ならエージング時間選択手段１３は優先度１のエージ時間を選択し（ステップＴ３）、エントリ使用率が５０％以下でないならエージング時間選択手段１３は優先度２のエージ時間を選択する（ステップＴ４）。そして、選択されたエージ時間により、エントリテーブル１０の先頭のエントリから（ステップＴ５）、全てのエントリについて（ステップＴ１５，ステップＴ１６）、以下の処理が繰返し行われる。
【００２５】
エージング処理手段１２は、当該エントリについて優先度２のエージ時間が「０」であるかどうかを判定する（ステップＴ６）。その結果、「０」でなければ（ステップＳ６でｙｅｓ）、図４により優先度１のエージ時間も「０」でないため、優先度１のエージ時間および優先度２のエージ時間を「１」だけ減算する（ステップＴ７）。一方、優先度２のエージ時間が「０」であれば（ステップＳ６でｎｏ）、更にエージング処理手段１２は、当該エントリについて優先度１のエージ時間が「０」であるかどうかを判定する（ステップＴ８）。その結果、「０」でなければ（ステップＳ８でｙｅｓ）、優先度１のエージ時間を「１」減算する（ステップＴ９）。なお、優先度１のエージ時間が「０」であるときは（ステップＳ８でｎｏ）、図４により当該エントリは無効であるから次のエントリの処理に移る（ステップＴ１５）。
【００２６】
ステップＴ７またはステップＴ９に続いて、エントリ登録手段１１は、エージ時間選択が優先度１であるか優先度２であるか（ステップＴ３，Ｔ４）により（ステップＴ１０）、チェック時間として優先度１のエージ時間または優先度２のエージ時間を参照する（ステップＴ１１，Ｔ１２）。エージ時間は時の経過に従って、例えば１秒単位で減算される。時刻がエージ時間に達すると（ステップＴ１３でｙｅｓ）、エントリ登録手段１１は当該エントリのＭＡＣ ＳＡを削除すると共に、優先度１のエージ時間および優先度２のエージ時間を「０」にする（ステップＴ１４）。即ち、当該エントリを無効化する。
【００２７】
次に、本発明におけるエントリテーブル１０のエージ処理について、図７および図８に示すエントリテーブル１０の状態遷移図を使用して更に詳細に説明する。
【００２８】
ここでも、説明を単純化するため、エントリテーブル１０のエントリ数を４（ｎ＝４）、優先度の数を２（ｍ＝２）、ポートとｅｔｃ情報は無いものとする。優先度１と優先度２の違いは、図４に示したように、優先度１のエージ時間が「０」の場合は、エントリが無効であることを意味し、優先度２のエージ時間が「０」の場合は、エントリ情報を別な情報に書き換え可能であることを意味する。また、エントリを振り分ける情報としてＭＡＣ ＳＡのみを使用し、ＭＡＣ ＳＡとして“ＡＡ”、“ＢＢ”、“ＣＣ”、“ＤＤ”をもつものが存在する。エントリテーブル１０の使用率が５１％以上であれば、１０秒速く書き換え可能にする動作について説明を行う。時間の単位は秒とする。
【００２９】
エントリテーブル１０に何も登録されていない状態のエントリテーブルの内容を図７ａに示す。この状態では、ＭＡＣ ＳＡ欄は空白であり、優先度１および優先度２の全てのエージ時間は「０」である。更新時間は、優先度１については「３０」、優先度２については「２０」が初期設定されている。図７aの状態から、ＭＡＣ ＳＡ＝“ＢＢ”と“ＣＣ”のエントリ登録要求が発生し、エントリ登録手段１１により、ほぼ同時刻（ｔ＝０）にエントリテーブル１０に登録処理を行った状態を図７ｂに示す。
【００３０】
エントリ登録手段１１は、ＭＡＣ ＳＡの他にエージ時間の登録も行う。登録する時間は予め定められている。エージング処理手段１１は、エージ時間が≠０のエントリのエージ時間を１秒周期で減算する。エントリ２、エントリ３のエージ時間が≠０となったため、減算処理を開始することになる。また、エントリテーブルの使用率は、２つのエントリが有効状態になったため５０％となる。エントリテーブル使用率が５０％であるため、エージ時間選択手段１３は優先度１のエージ時間を選択する。この時、エントリ２、３の優先度１のエージ時間は≠０であるため登録内容が有効となる。
【００３１】
図７ｂの状態から２０秒経過後（ｔ＝２０）のエントリテーブル１０の状態を図７ｃに示す。エージング処理手段１２は、エージ時間が≠０のものを１秒周期で減算するため、エントリ２、エントリ３のエージ時間がそれぞれ２０秒減ることになる。エントリの使用率は、２エントリ有効状態のため５０％となる。エントリテーブル使用率が５０％であるため、エントリ登録手段１１は優先度１エージ時間を参照するので、エントリ２、エントリ３は残り１０秒のエージ時間をもっていることになる。
【００３２】
以上により、エントリテーブル１０の使用率が５１％未満の場合には、エントリ２、エントリ３のエージ時間が３０秒で動作することが可能である。
【００３３】
次に、エントリテーブル１０の使用率が５１％以上の場合について説明する。図７ｃの状態とほぼ同時刻（ｔ＝２０）にエントリ２，３の更新要求と、“ＡＡ”、“ＤＤ”の登録要求を行った状態を図７ｄに示す。エントリ２、３に更新要求が行われると、更新時間をエージ時間にコピーするため、エントリ２、エントリ３のエージ時間は、優先度１が３０、優先度２が２０の値に更新される。これは、“ＢＢ”、“ＣＣ”のエントリ登録要求があった場合と同じ値である。次に“ＡＡ”と“ＤＤ”のエントリ登録要求があったため、エントリ登録手段１３により、エントリテーブル１０に新規に“ＡＡ”と“ＤＤ”が登録される。この結果、４エントリ有効状態のためエントリテーブル使用率が１００％となり、優先度２のエージ時間が参照されることになる。
【００３４】
図７ｄの状態から、１秒経過後（ｔ＝２１）のエントリテーブル１０の状態を図７ｅに示す。エージング処理手段１２は、エージ時間が≠０のエントリのエージ時間を１秒周期で減算するため、エントリ１からエントリ４のそれぞれのエージ時間が１秒だけ減っている。エントリの使用率は４エントリ有効状態のため１００％となる。エントリテーブル使用率が５１％を超えているため優先度２エージ時間を参照する。
【００３５】
図７ｅの状態から、１９秒経過後（ｔ＝４０）のエントリテーブル１０の状態を図７ｆに示す。エージング処理手段１２は、エージ時間が≠０のエントリのエージ時間を１秒周期で減算するため、エントリ１からエントリ４のそれぞれのエージ時間が１９秒だけ減ることになる。エントリの使用率は４エントリ有効状態のため１００％となる。エントリテーブル使用率が５１％を超えているため優先度２エージ時間を参照する。優先度２のエージ時間を確認するとエントリ１からエントリ４のエージ時間が＝０となっているため、このエントリは、無効ではないが書き換え可能なエントリとなる。即ち、新規に ＭＡＣ ＳＡ＝“ＥＥ”などのエントリ登録要求が発生した場合には、登録内容を書き換えることが可能となる。
【００３６】
このように、エントリテーブルの使用率が５１％以上の場合には、エントリ１からエントリ４は、２０秒後に書き換えることが可能となり、使用率が高い場合には、使用率が低い場合より１０秒速く書きかえることが可能となる。
【００３７】
次に、エントリテーブル１０の使用率に応じて特定のエントリのみを書き換え可能とする動作について図８により説明する。
【００３８】
エントリを振り分ける情報としてＭＡＣ ＳＡのみを使用し、ＭＡＣ ＳＡとして “１Ａ”、“１Ｂ”、“１Ｃ”、“２Ａ”をもつエントリが存在するとする。エントリテーブル１０の使用率が５１％以上であれば、ＭＡＣ ＳＡ ＝“ｘＡ”をもつエントリを他のＭＡＣ ＳＡをもつエントリより１０秒速く書き換え可能にする。
【００３９】
エントリテーブル１０に何も登録されていない状態のエントリテーブルを図８ａに示す。この例では、図７ａと異なって、全てのエントリの優先度２の更新時間はまだ設定されない。エージング処理手段１１は、エージ時間≠０であれば、「０」になるまで１秒毎にエージ時間を減算するが、全てのエントリのエージ時間が「０」であるので減算処理は行わない。また、エントリテーブル１０の優先度１のエージ時間が全て「０」であるので、エントリテーブル１０の使用率は０％となる。エントリテーブル使用率が０％であるため、エージ時間選択手段１３は、優先度１のエージ時間を選択する。優先度１のエージ時間は「０」であるため全てのエントリは無効となっている。優先度２のエージ時間も「０」であるため書き換え可能な状態となっている。
【００４０】
図８ａの状態から、ＭＡＣ ＳＡ“１Ａ”、“１Ｂ”のエントリ登録要求が発生し、エントリ登録手段１１により、ほぼ同時刻（ｔ＝０）にエントリテーブル１０に登録処理を行った状態を図８ｂに示す。エントリ登録手段１３は、ＭＡＣ ＳＡの他にエージ時間の登録と優先度２の更新事案の設定も行う。優先度２の更新時間に設定する値は、“ｘＡ”であれば「２０」、“ｘＡ”以外であれば「３０」を設定する。この例では、このように、エントリ毎に異なる更新時間をＭＡＣ ＳＡ登録時に設定する。
【００４１】
エージング処理手段は、エージ時間が≠０のエントリのエージ時間を１秒周期で減算する。エントリ１、エントリ２のエージ時間が、≠０となったため減算処理を開始することになる。また、エントリテーブルの使用率は２つのエントリが有効状態になったため、５０％となる。エントリテーブル使用率が５０％であるため、エージ時間選択手段１２は優先度１のエージ時間を選択する。この時、エントリ１、２の優先度１のエージ時間は、≠０であるため登録内容有効となる。
【００４２】
図８ｂの状態から、２０秒経過後（ｔ＝２０）のエントリテーブル１０の状態を図８ｃに示す。エージング処理手段１１は、エージ時間が≠０のエントリのエージ時間を１秒周期で減算するため、エントリ１、エントリ２のエージ時間がそれぞれ２０秒減ることになる。エントリの使用率は、２エントリ有効状態のため５０％となる。エントリテーブル使用率が５０％であるため、優先度１エージ時間を参照するので、エントリ１、エントリ２は残り１０秒のエージ時間をもっている。
【００４３】
以上により、エントリテーブルの使用率が５１％未満の場合には、エントリ１、エントリ２のエージ時間が３０秒で動作することが可能である。
【００４４】
図８ｃの状態から、ＭＡＣ ＳＡ“１Ａ”、“１Ｂ”、“１Ｃ”、“２Ａ”のエントリ登録要求が発生し、エントリ登録手段１３により、ほぼ同時刻（ｔ＝０）にエントリテーブル１０に登録処理を行った状態を図８ｄに示す。エントリ登録手段１３は、ＭＡＣ ＳＡの他にエージ時間の登録と優先度２の更新時間の設定も行う。優先度２の更新時間に設定する値は、“ｘＡ”であれば「２０」、“ｘＡ”以外であれば「３０」を設定する。エージング処理手段は、エージ時間が≠０のエントリのエージ時間を１秒周期で減算する。エントリ１からエントリ４のエージ時間が、≠０となったため減算処理を開始することになる。また、エントリテーブルの使用率は、４つのエントリが有効状態になったため１００％となる。エントリテーブル使用率が５１％以上であるため、エージ時間選択手段１３は優先度２のエージ時間を選択する。
【００４５】
図８ｄの状態から、２０秒経過後（ｔ＝２０）のエントリテーブル１０の状態を図８ｅに示す。エージング処理手段１１は、エージ時間が≠０のエントリのエージ時間を１秒周期で減算するため、エントリ１からエントリ４のそれぞれのエージ時間が２０秒減ることになる。エントリの使用率は、４エントリ有効状態のため１００％となる。エントリテーブル使用率が５１％以上であるため、優先度２のエージ時間を参照する。優先度２のエージ時間を確認するとエントリ１とエントリ４のエージ時間が＝０となっているため、このエントリは、無効ではないが書き換え可能なエントリとなる。即ち、新規にＭＡＣ ＳＡ＝“ＥＥ”などのエントリ登録要求が発生した場合には、登録内容を書き換えることが可能となる。
【００４６】
このように、エントリテーブルの使用率が５１％以上の場合には、ＭＡＣ ＳＡ＝“ｘＡ”をもつエントリ１とエントリ４は、２０秒後には書き換えることが可能となる。しかし、ＭＡＣ ＳＡ≠“ｘＡ”のエントリ２とエントリ３は、残り１０秒エージ時間をもっているため書き換え不可となる。
［他の実施例］
以上は、エントリテーブル１０に更新時間をも登録する例であったが、図９に示すように、更新時間は登録しないようにしたエントリテーブルであってもよい。
【図面の簡単な説明】
【００４７】
【図１】本発明に係るネットワークシステムの構成を示すブロック図
【図２】本発明のエントリテーブル管理装置のブロック図
【図３】本発明におけるエントリテーブルの一例を示す図
【図４】本発明におけるエージ情報の優先度を説明するための図
【図５】本発明におけるエントリテーブルの登録処理を示すフローチャート
【図６】本発明におけるエントリテーブルのエージ処理を示すフローチャート
【図７】本発明におけるエントリテーブルの状態遷移図
【図８】本発明における他のエントリテーブルの状態遷移図
【図９】本発明における他のエントリテーブルの一例を示す図
【符号の説明】
【００４８】
１０        エントリーテーブル
１１        エントリ登録手段
１２        エージング処理手段
１３        エージング選択手段
２０        ネットワーク間接続装置
２１，２２  伝送路
１００      エントリテーブル管理装置
Ａ１〜Ａ３  端末
Ｂ１〜Ｂ３  端末
【図１】
0004817145.tif 000002
【図２】
0004817145.tif 000003
【図３】
0004817145.tif 000004
【図４】
0004817145.tif 000005
【図５】
0004817145.tif 000006
【図６】
0004817145.tif 000007
【図７】
0004817145.tif 000008
【図８】
0004817145.tif 000009
【図９】
0004817145.tif 000010